(57)【特許請求の範囲】
【請求項１】
冷凍、冷房、または暖房装置であって、
冷媒と、
前記冷媒を循環させて冷凍サイクルを実現する冷凍サイクル機構と、
前記冷凍サイクルを循環する前記冷媒にテラヘルツ光を照射する照射機構と、
を備える
ことを特徴とする冷凍、冷房、または暖房装置。
【請求項２】
前記照射機構は液体状態である前記冷媒にテラヘルツ光を照射する、
ことを特徴とする請求項１に記載の冷凍、冷房、または暖房装置。
【請求項３】
前記照射機構は気液混合状態である前記冷媒にテラヘルツ光を照射する、
ことを特徴とする請求項２に記載の冷凍、冷房、または暖房装置。
【請求項４】
前記照射機構はテラヘルツ光を放射する物質を有する、
ことを特徴とする請求項３に記載の冷凍、冷房、または暖房装置。
【請求項５】
前記物質が前記冷凍サイクルの中を循環する前記冷媒を導く配管を囲う、
ことを特徴とする請求項４に記載の冷凍、冷房、または暖房装置。
【請求項６】
前記照射機構はテラヘルツ光を反射するシート状の反射部材を有し、
前記反射部材が前記物質を周囲から覆う、
ことを特徴とする請求項５に記載の冷凍、冷房、または暖房装置。
【請求項７】
前記冷媒は２，３，３，３−テトラフルオロ−１−プロペン、クロロフルオロカーボン、フルオロカーボン、ハイドロクロロフルオロカーボン、またはハイドロフルオロカーボンを含む、
ことを特徴とする請求項６に記載の冷凍、冷房、または暖房装置。
【請求項８】
前記冷媒は２，３，３，３−テトラフルオロ−１−プロペン、クロロフルオロカーボン、フルオロカーボン、ハイドロクロロフルオロカーボン、またはハイドロフルオロカーボンを含む、
ことを特徴とする請求項１に記載の冷凍、冷房、または暖房装置。
【請求項９】
前記照射機構はテラヘルツ光を放射する物質を有し、
前記物質が前記冷凍サイクルを循環する前記冷媒を導く配管の内部に位置する、
ことを特徴とする請求項１に記載の冷凍、冷房、または暖房装置。
【請求項１０】
前記冷凍サイクルは冷媒を導く配管と該配管により順に導通される屋外熱交換器と膨張弁と室内熱交換器とコンプレッサーとを有し、
前記照射機構は前記屋外熱交換器と前記膨張弁とを導通して冷媒を導く配管を通過する際の冷媒にテラヘルツ光を照射する、
ことを特徴とする請求項１に記載の冷凍、冷房、または暖房装置。
【請求項１１】
冷媒と前記冷媒を循環させて冷凍サイクルを実現する冷凍サイクル機構とを有する冷凍、冷房、または暖房装置の省エネ方法であって、
前記冷凍サイクルを循環する前記冷媒にテラヘルツ光を照射する照射工程を、
備える事を特徴とする冷凍、冷房、または暖房装置の省エネ方法。
【請求項１２】
前記照射工程は液体状態である前記冷媒にテラヘルツ光を照射する、
ことを特徴とする請求項１１に記載の冷凍、冷房、または暖房装置の省エネ方法。
【請求項１３】
前記照射工程は気液混合状態である前記冷媒にテラヘルツ光を照射する、
ことを特徴とする請求項１１に記載の冷凍、冷房、または暖房装置の省エネ方法。
【請求項１４】
前記冷媒は２，３，３，３−テトラフルオロ−１−プロペン、クロロフルオロカーボン、フルオロカーボン、ハイドロクロロフルオロカーボン、またはハイドロフルオロカーボンを含む、
ことを特徴とする請求項１１に記載の冷凍、冷房、または暖房装置の省エネ方法。
【発明の詳細な説明】
【技術分野】
【０００１】
本発明は、冷凍、冷房、または暖房装置とその省エネ方法に係る。特に冷媒の取り扱いに特徴のある冷凍、冷房、または暖房装置とその省エネ方法に関する。
【背景技術】
【０００２】
家庭用、または事業用に、冷凍、冷房、または暖房装置がもちいられる。
冷凍、冷房、または暖房装置は、冷媒と冷凍サイクル機構を持つ。
冷凍サイクル機構は、冷媒を循環させて冷凍サイクルを実現する。
例えば、冷媒は、２，３，３，３−テトラフルオロ−１−プロペン、クロロフルオロカーボン、フルオロカーボン、ハイドロクロロフルオロカーボン、またはハイドロフルオロカーボンを含む、
例えば、冷媒は、２，３，３，３−テトラフルオロ−１−プロペン、クロロフルオロカーボン、フルオロカーボン、ハイドロクロロフルオロカーボン、またはハイドロフルオロカーボンのうちの]一つである。
例えば、冷媒は、２，３，３，３−テトラフルオロ−１−プロペン、クロロフルオロカーボン、フルオロカーボン、ハイドロクロロフルオロカーボン、またはハイドロフルオロカーボンのうちの２つ以上の組み合わせたものである。
【０００３】
冷媒は、冷凍サイクルを循環するときに、物理的または熱的刺激をうけて性能が劣化する恐れがある。
例えば、冷媒が化学的に分解する恐れがある。
冷媒が化学的に分解すると、冷凍、冷房、または暖房装置の効率が低下する恐れがある。
【０００４】
公開された特許公報では、冷媒の分解によるフッ素化合物の発生を抑制し、冷凍サイクルを長期的に安定して運転することが開示される。
【０００５】
また、近年、テラヘルツ光の研究が進み、テラヘルツ光の物資への特異な影響が明らかになってきた。
発明者は、テラヘルツ光が冷凍サイクルに用いられる冷媒に与える影響に着目し、本件出願にかかる発明を考案した。
【先行技術文献】
【特許文献】
【０００６】
【特許文献１】特開平１１−３３５１１７号公報
【特許文献２】特開２０１１−２２６７２８号公報
【特許文献３】ＰＣＴ／ＪＰ２０１３／０５８１６５号公報
【発明の開示】
【発明が解決しようとする課題】
【０００７】
本発明は以上に述べた着想に基づき案出されたもので、簡易な構造で所望の機能を発揮する冷凍、冷房、または暖房装置と省エネ方法を提供しようとする。
【課題を解決するための手段】
【０００８】
上記目的を達成するため、本発明に係る冷凍、冷房、または暖房装置を、冷媒と、前記冷媒を循環させて冷凍サイクルを実現する冷凍サイクル機構と、前記冷凍サイクルを循環する前記冷媒にテラヘルツ光を照射する照射機構と、を備えるものとした。
【０００９】
上記本発明の構成において、冷凍サイクル機構が、前記冷媒を循環させて冷凍サイクルを実現する。照射機構が、前記冷凍サイクルを循環する前記冷媒にテラヘルツ光を照射する。
その結果、前記冷媒がテラヘルツ光を照射されて安定し、冷凍サイクルを長期的に安定して運転できる。
【００１０】
以下に、本発明の実施形態に係る冷凍、冷房、または暖房装置を説明する。本発明は、以下に記載した実施形態のいずれか、またはそれらの中の二つ以上が組み合わされた態様を含む。
【００１１】
また、本発明の実施形態に係る冷凍、冷房、または暖房装置は、前記照射機構は液体状態である前記冷媒にテラヘルツ光を照射する。
上記本発明に係る実施形態の構成により、前記照射機構は液体状態である前記冷媒にテラヘルツ光を照射する。
その結果、液体状態である前記冷媒がテラヘルツ光を照射され安定し、冷凍サイクルを長期的に安定して運転できる。
【００１２】
また、本発明の実施形態に係る冷凍、冷房、または暖房装置は、前記照射機構は気液混合状態である前記冷媒にテラヘルツ光を照射する。
上記本発明に係る実施形態の構成により、前記照射機構は気液混合状態である前記冷媒にテラヘルツ光を照射する。
その結果、気液混合状態である前記冷媒がテラヘルツ光を照射され安定し、冷凍サイクルを長期的に安定して運転できる。
【００１３】
また、本発明の実施形態に係る冷凍、冷房、または暖房装置は、前記照射機構はテラヘルツ光を放射する物質を有する。
上記本発明に係る実施形態の構成により、
前記照射機構はテラヘルツ光を放射する物質を有する。
その結果、前記冷媒が物質が放射するテラヘルツ光を照射され安定し、冷凍サイクルを長期的に安定して運転できる。
【００１４】
また、本発明の実施形態に係る冷凍、冷房、または暖房装置は、前記物質が前記冷凍サイクルの中を循環する前記冷媒を導く配管を囲う。
上記本発明に係る実施形態の構成により、前記物質が前記冷凍サイクルの中を循環する前記冷媒を導く配管を囲う。
その結果、`前記配管により導かれる前記冷媒が配管を囲う前記物質が放射するテラヘルツ光を照射され安定し、冷凍サイクルを長期的に安定して運転できる。
【００１５】
また、本発明の実施形態に係る冷凍、冷房、または暖房装置は、前記照射機構はテラヘルツ光を反射するシート状の反射部材を有し、前記反射部材が前記物質を周囲から覆う。
上記本発明に係る実施形態の構成により、前記照射機構はテラヘルツ光を反射するシート状の反射部材を有する。前記反射部材が前記物質を周囲から覆う。
その結果、物質から放射したテラヘルツ光が前記反射部材により反射し前記配管により導かれる前記冷媒が反射したテラヘルツ光を照射され安定し、冷凍サイクルを長期的に安定して運転できる。
【００１６】
また、本発明の実施形態に係る冷凍、冷房、または暖房装置は、前記冷媒は２，３，３，３−テトラフルオロ−１−プロペン、クロロフルオロカーボン、フルオロカーボン、ハイドロクロロフルオロカーボン、またはハイドロフルオロカーボンを含む。
上記本発明に係る実施形態の構成により、前記冷媒は２，３，３，３−テトラフルオロ−１−プロペン、クロロフルオロカーボン、フルオロカーボン、ハイドロクロロフルオロカーボン、またはハイドロフルオロカーボンを含む。
その結果、前記冷媒がテラヘルツ光を照射され、フッ素化合物の発生を抑制し、冷凍サイクルを長期的に安定して運転できる。
【００１７】
また、本発明の実施形態に係る冷凍、冷房、または暖房装置は、前記照射機構はテラヘルツ光を放射する物質を有し、前記物質が前記冷凍サイクルを循環する前記冷媒を導く配管の内部に位置する。
上記本発明に係る実施形態の構成により、前記照射機構はテラヘルツ光を放射する物質を有する。前記物質が前記冷凍サイクルを循環する前記冷媒を導く配管の内部に位置する。
その結果、前記配管の中を通過する冷媒がテラヘルツ光を照射され、前記冷媒が安定し、冷凍サイクルを長期的に安定して運転できる。
【００１８】
また、本発明の実施形態に係る冷凍、冷房、または暖房装置は、前記冷凍サイクルは冷媒を導く配管と該配管により順に導通される屋外熱交換器と膨張弁と室内熱交換器とコンプレッサーとを有し、前記照射機構は前記屋外熱交換器と前記膨張弁とを導通して冷媒を導く配管を通過する際の冷媒にテラヘルツ光を照射する。
上記本発明に係る実施形態の構成により、前記冷凍サイクルは冷媒を導く配管と該配管により順に導通される屋外熱交換器と膨張弁と室内熱交換器とコンプレッサーとを有する。前記照射機構は前記屋外熱交換器と前記膨張弁とを導通して冷媒を導く配管を通過する際の冷媒にテラヘルツ光を照射する。
その結果、前記屋外熱交換器と前記膨張弁とを導通する配管のなかの冷媒が、テラヘルツ光を照射され、前記冷媒が安定し、冷凍サイクルを長期的に安定して運転できる。
【００１９】
上記目的を達成するため、本発明に係る冷媒と前記冷媒を循環させて冷凍サイクルを実現する冷凍サイクル機構とを有する冷凍、冷房、または暖房装置の省エネ方法を、前記冷凍サイクルを循環する前記冷媒にテラヘルツ光を照射する照射工程を、備えるものとした。
【００２０】
上記本発明の構成において、冷凍サイクル機構は、前記冷媒を循環させて冷凍サイクルを実現する。照射工程が、前記冷凍サイクルを循環する前記冷媒にテラヘルツ光を照射する。
その結果、前記冷媒がテラヘルツ光を照射されて安定し、冷凍サイクルを長期的に安定して運転できる。
【００２１】
以下に、本発明の実施形態に係る冷凍、冷房、または暖房装置の省エネ方法を説明する。本発明は、以下に記載した実施形態のいずれか、またはそれらの中の二つ以上が組み合わされた態様を含む。
【００２２】
また、本発明の実施形態に係る冷凍、冷房、または暖房装置の省エネ方法は、前記照射工程は液体状態である前記冷媒にテラヘルツ光を照射する。
上記本発明に係る実施形態の構成により、前記照射工程は液体状態である前記冷媒にテラヘルツ光を照射する。
その結果、液体状態である前記冷媒がテラヘルツ光を照射され安定し、冷凍サイクルを長期的に安定して運転できる。
【００２３】
また、本発明の実施形態に係る冷凍、冷房、または暖房装置の省エネ方法は、前記照射工程は気液混合状態である前記冷媒にテラヘルツ光を照射する。
上記本発明に係る実施形態の構成により、前記照射工程は液体状態である前記冷媒にテラヘルツ光を照射する。
その結果、気液混合状態である前記冷媒がテラヘルツ光を照射され安定し、冷凍サイクルを長期的に安定して運転できる。
【００２４】
また、本発明の実施形態に係る冷凍、冷房、または暖房装置の省エネ方法は、前記冷媒は２，３，３，３−テトラフルオロ−１−プロペン、クロロフルオロカーボン、フルオロカーボン、ハイドロクロロフルオロカーボン、またはハイドロフルオロカーボンを含む。
上記本発明に係る実施形態の構成により、前記冷媒は２，３，３，３−テトラフルオロ−１−プロペン、クロロフルオロカーボン、フルオロカーボン、ハイドロクロロフルオロカーボン、またはハイドロフルオロカーボンを含む。
その結果、前記冷媒がテラヘルツ光を照射され、フッ素化合物の発生を抑制し、冷凍サイクルを長期的に安定して運転できる。
【発明の効果】
【００２５】
以上説明したように、本発明に係る冷凍、冷房、または暖房装置は、その構成により、以下の効果を有する。
前記冷凍サイクルを前記冷媒が循環し、前記冷凍サイクルを循環する前記冷媒にテラヘルツ光を照射する様にしたので、前記冷媒がテラヘルツ光を照射されて安定し、冷凍サイクルを長期的に安定して運転できる。
また、前記照射機構は液体状態である前記冷媒にテラヘルツ光を照射する様にしたので、液体状態である前記冷媒がテラヘルツ光を照射され安定し、冷凍サイクルを長期的に安定して運転できる。
また、前記照射機構は気液混合状態である前記冷媒にテラヘルツ光を照射する様にしたので、気液混合状態である前記冷媒がテラヘルツ光を照射され安定し、冷凍サイクルを長期的に安定して運転できる。
また、前記照射機構はテラヘルツ光を放射する物質を有する様にしたので、前記冷媒が物質が放射するテラヘルツ光を照射され安定し、冷凍サイクルを長期的に安定して運転できる。
また、前記物質が前記冷凍サイクルの中を循環する前記冷媒を導く配管を囲う様にしたので、`前記配管により導かれる前記冷媒が配管を囲う前記物質が放射するテラヘルツ光を照射され安定し、冷凍サイクルを長期的に安定して運転できる。
また、テラヘルツ光を反射するシート状の反射部材が前記物質を周囲から覆う様にしたので、物質から放射したテラヘルツ光が前記反射部材により反射し前記配管により導かれる前記冷媒が反射したテラヘルツ光を照射され安定し、冷凍サイクルを長期的に安定して運転できる。
また、前記冷媒は２，３，３，３−テトラフルオロ−１−プロペン、クロロフルオロカーボン、フルオロカーボン、ハイドロクロロフルオロカーボン、またはハイドロフルオロカーボンを含む様にしたので、前記冷媒がテラヘルツ光を照射され、フッ素化合物の発生を抑制し、冷凍サイクルを長期的に安定して運転できる。
また、テラヘルツ光を放射する物質が前記冷凍サイクルを循環する前記冷媒を導く配管の内部に位置する様にしたので、前記配管の中を通過する冷媒がテラヘルツ光を照射され、前記冷媒が安定し、冷凍サイクルを長期的に安定して運転できる。
また、配管と屋外熱交換器と膨張弁と室内熱交換器とコンプレッサーを組み合わせた前記冷凍サイクルを循環する様に前記冷媒を導く配管のうちの前記屋外熱交換器と前記膨張弁とを導通して冷媒を導く配管を通過する際の冷媒にテラヘルツ光を照射する様にしたので、前記屋外熱交換器と前記膨張弁とを導通する配管のなかの冷媒が、テラヘルツ光を照射され、前記冷媒が安定し、冷凍サイクルを長期的に安定して運転できる。
【００２６】
以上説明したように、本発明に係る冷凍、冷房、または暖房装置の省エネ方法は、その構成により、以下の効果を有する。
前記冷凍サイクルを前記冷媒が循環し、前記冷凍サイクルを循環する前記冷媒にテラヘルツ光を照射する様にしたので、前記冷媒がテラヘルツ光を照射されて安定し、冷凍サイクルを長期的に安定して運転できる。
また、液体状態である前記冷媒にテラヘルツ光を照射する様にしたので、液体状態である前記冷媒がテラヘルツ光を照射され安定し、冷凍サイクルを長期的に安定して運転できる。
また、気液混合状態である前記冷媒にテラヘルツ光を照射する様にしたので、気液混合状態である前記冷媒がテラヘルツ光を照射され安定し、冷凍サイクルを長期的に安定して運転できる。
また、前記冷媒は２，３，３，３−テトラフルオロ−１−プロペン、クロロフルオロカーボン、フルオロカーボン、ハイドロクロロフルオロカーボン、またはハイドロフルオロカーボンを含む様にしたので、前記冷媒がテラヘルツ光を照射され、フッ素化合物の発生を抑制し、冷凍サイクルを長期的に安定して運転できる。
その結果、簡易な構造で所望の機能を発揮する冷凍、冷房、または暖房装置とその省エネ方法を提供できる。
【図面の簡単な説明】
【００２７】
【図１】本発明の実施形態に係る冷却または暖房装置の概念図である。
【図２】本発明の実施形態に係る照射機構の構造図である。
【図３】本発明の第一の実施形態に係る冷却または暖房装置の概念図である。
【図４】本発明の第二の実施形態に係る冷却または暖房装置の概念図である。
【図５】本発明の実施形態に係る冷却または暖房装置の実施例での結果１である。
【図６】本発明の実施形態に係る冷却または暖房装置の実施例での結果２である。
【図７】本発明の実施形態に係る冷却または暖房装置の実施例での波長データである。
【図８】本発明の実施形態に係る冷却または暖房装置の実施例での成分表である。
【図９】本発明の実施形態に係る冷却または暖房装置の実施例での試験装置の構成図である。
【発明を実施するための形態】
【００２８】
以下、本発明を実施するための最良の形態を、図面を参照して説明する。
【００２９】
最初に、本発明の実施形態に係る冷凍、冷房、または暖房装置を、図を基に、説明する
本発明の実施形態に係る冷却または暖房装置の概念図である。本発明の実施形態に係る照射機構の構造図である。本発明の第一の実施形態に係る冷却または暖房装置の概念図である。本発明の第二の実施形態に係る冷却または暖房装置の概念図である。
【００３０】
冷凍、冷房、または暖房装置は、冷凍運転をできる。
冷凍、冷房、または暖房装置は、冷房運転をできる。
冷凍、冷房、または暖房装置は、暖房運転をできる。
冷凍装置は、対象を冷凍できる。
冷房、または暖房装置は、冷房運転と暖房運転とを切り替えてできる。
冷房運転をすると、対象を冷房できる。
冷房運転をすると、対象物を冷却できる。
例えば、冷房運転をすると、室内を冷房できる。
暖房運転をすると、対象を暖房できる。
暖房運転をすると、対象物を加熱できる。
例えば、暖房運転をすると、室内を暖房できる。
【００３１】
本発明の実施形態にかかる冷凍、冷房、または暖房装置は、冷媒１０と冷凍サイクル機構２０と照射機構３０とで構成される。
【００３２】
冷媒１０は、冷凍サイクルを循環して熱を運搬するものである。
冷媒１０は、フロンであってもよい。
冷媒１０は、２，３，３，３−テトラフルオロ−１−プロペン、クロロフルオロカーボン、フルオロカーボン、ハイドロクロロフルオロカーボン、またはハイドロフルオロカーボンを含んでもよい。
２，３，３，３−テトラフルオロ−１−プロペンは、カーエアコン用冷媒として知られる。
冷媒は、水であってもよい。
冷媒は、自然冷媒であってもよい。
例えば、冷媒は二酸化炭素である。
例えば、冷媒はアンモニアである。
例えば、冷媒はイソブタンである。
【００３３】
冷凍サイクルは、動力・熱等のエネルギーを用いて低温熱源から吸熱し、高温熱源に廃熱する熱力学的サイクルである。圧縮式のもののほか、吸収式のもの、ケミカル式、吸着式など多くの方式のサイクルの総称である。
【００３４】
冷凍サイクル機構２０は、冷媒１０循環させて冷凍サイクルを実現する機構である。
冷凍サイクルは、冷媒を導く配管と配管により順に導通される屋外熱交換器２２と膨張弁２３と室内熱交換器２４とコンプレッサー２５とで構成されてもよい。
冷凍サイクルは、冷媒を導く配管と配管により順に導通される屋外熱交換器２２と膨張弁２３と室内熱交換器２４とコンプレッサー２５と四方弁２６とで構成されてもよい。
【００３５】
配管２１は、冷媒１０を導く。
配管２１は、屋外熱交換器２２と膨張弁２３とを導通し、膨張弁２３と室内熱交換器２４とを導通し、室内熱交換器２４とコンプレッサー２５とを導通し、コンプレッサー２５と四方弁２６とを導通し、四方弁２６と屋外熱交換器２２とを導通する。
【００３６】
屋外熱交換器２２は、冷媒と屋外の雰囲気との間で熱交換させる。
膨張弁２３は、冷媒１０を膨張させる。
室内熱交換器２４は、冷媒１０と室内の雰囲気との間で熱交換させる。
コンプレッサー２５は、冷媒１０を圧縮する。
四方弁１６は、冷媒１０の循環する向きを変えて、冷房運転と暖房運転とを切り替える。
【００３７】
冷房運転では、冷媒１０は、屋外熱交換器２２、膨張弁２３、室内熱交換器２４、コンプレッサー２５、屋外熱交換器２２の順に循環する。
【００３８】
暖房運転では、冷媒１０は、屋外熱交換器２２、コンプレッサー２５、室内熱交換器２４、膨張弁２３、屋外熱交換器２２の順に循環する。
【００３９】
照射機構３０は、冷凍サイクルを循環する冷媒１０にテラヘルツ光を照射する機構である。
照射機構３０は、冷凍サイクルを循環する液体状態である冷媒１０にテラヘルツ光を照射してもよい。
【００４０】
照射機構３０は、冷凍サイクルを循環する気液混合状態である冷媒１０にテラヘルツ光を照射してもよい。
【００４１】
照射機構３０は、テラヘルツ光を放射する物質３１で構成されてよい。
【００４２】
照射機構３０は、テラヘルツ光を放射する物質３１と保持部材３２とで構成されてもよい。
保持部材３２は、物質３１を保持する部材である。
例えば、保持部材３２は、粉場３の物質３１を保持する部材である。
例えば、保持部材３２は、粉場３の物質３１を塗布される部材である。
【００４３】
テラヘルツ光を放射する物質３１が、冷凍サイクルの中を循環する冷媒１０を導く配管２１を囲ってもよい。
テラヘルツ光を放射する物質３１を保持する保持部材３２が冷凍サイクルの中を循環する冷媒１０を導く配管２１を囲ってもよい。
テラヘルツ光を放射する物質３１を保持する保持部材３２が冷凍サイクルの中を循環する冷媒１０を導く配管２１を覆っていてもよい。
【００４４】
照射機構３０は、テラヘルツ光を放射する物質３１と保持部材３２と反射部材３３とで構成されてもよい。
反射部材３３が、テラヘルツ光を反射するシート状の部材であってもよい。
反射部材３３が、物質３１を周囲から覆ってもよい。
反射部材３３が、物質３１を保持する保持部材３２を周囲から覆ってもよい。
反射部材３３は、アルミ製であってももよい。
【００４５】
テラヘルツ光を放射する物質３１が、冷凍サイクルを循環する冷媒を導く配管の内部に位置してもよい。
テラヘルツ光を放射する物質３１を保持する保持部材３２が、冷凍サイクルを循環する冷媒を導く配管の内部に位置してもよい。
テラヘルツ光を放射する物質３１を塗布された保持部材３２が、冷凍サイクルを循環する冷媒１０を導く配管の内部に位置してもよい。
【００４６】
照射機構３０は、屋外熱交換器２２と膨張弁２３とを導通して冷媒１０を導く配管を通過する際の冷媒にテラヘルツ光を照射してもよい。
【００４７】
以下に、本発明の実施形態にかかる反射部材の２つの構造例を、図を基に説明する。
図２は、本発明の実施形態に係る照射機構の構造図である。
【００４８】
図２（Ａ）は、本発明の実施形態にかかる反射部材の１つの構造例を示す。
テラヘルツ光を放射する物質３１を保持する保持部材３２が、冷媒１０を導く配管２１を囲う。
反射部材３３が、テラヘルツ光を放射する物質３１を保持する保持部材３２を覆う。
物質３１から放射されるテラヘルツ光が、配管２１の壁を透過して、配管２１に導かれる冷媒１０に照射される。
例えば、反射部材は、アルミ製の部材である。
【００４９】
図２（Ｂ）は、本発明の実施形態にかかる反射部材の他の構造例を示す。
テラヘルツ光を放射する物質３１を保持する保持部材３２が、冷媒１０を導く配管２１の内部に位置する。
テラヘルツ光を放射する物質３１を保持する保持部材３２は、図示しない構造により配管２１の内部に固定される。
例えば、テラヘルツ光を放射する物質３１を保持する保持部材３２は、図示しない構造により配管２１の内壁に固定される。
物質３１から放射されるテラヘルツ光が、配管２１に導かれる冷媒１０に直接に照射される。
【００５０】
本発明の実施形態にかかる冷凍、冷房、または暖房装置の作用を、図を基に、説明する。
【００５１】
最初に、冷房運転をするときの作用を説明する。
冷媒１０が、高温高圧び気体状態で、屋外熱交換器２２を通過して屋外の雰囲気と熱交換して冷やされ、常温高圧の気液混合状態になる。
冷媒１０が、常温高圧の気液混合状態で、テラヘルツ光を照射される。
冷媒１０が、常温高圧の気液混合状態で、膨張弁２３を通過して膨張し、低温低圧気体状態になる。
冷媒１０が、低温低圧の気体状態で、室内熱交換器２４を通過して室内の雰囲気と熱交換し暖められ、低常温低圧の気体状態になる。
冷媒１０が、低常温低圧の気体状態で、コンプレッサー２５を通過して圧縮され、高温高圧気体状態になる。
上記の手順を繰り返し、室内を冷房する。
【００５２】
次ぎに、暖房運転するときの作用を説明する。
冷媒１０が、低温低圧の気液混合状態で、屋外熱交換器２２を通過して屋外の雰囲気と熱交換し暖められ、低常温低圧の気体状態になる。
冷媒１０が、低常温低圧の気体状態で、コンプレッサー２５を通過して圧縮され、高温高圧気体状態になる。
冷媒１０が、高温高圧の気体状態で、室内熱交換器２４を通過して室内の雰囲気と熱交換して冷やされ、常温高圧の気体状態になる。
冷媒１０が、常温高圧の気体状態で、膨張弁２３を通過して膨張し、低温低圧の気液体混合状態になる。
冷媒１０が、低温低圧の気液混合状態で、テラヘルツ光を照射される。
上記の手順を順次に繰り返し、室内を暖房する。
【００５３】
次ぎに、本発明の実施形態にかかる冷却または暖房装置の省エネ方法について、説明する。
冷却または暖房装置は、冷媒と冷媒を循環させて冷凍サイクルを実現する冷凍サイクル機構とで構成される。
冷凍サイクルについては、本発明の実施形態にかかる冷却または暖房装置のものと同じなので、説明を省略する。
【００５４】
本発明の実施形態にかかる冷却または暖房装置の省エネ方法は、照射工程で構成される。
照射工程は、冷凍サイクルを循環する冷媒にテラヘルツ光を照射する工程である。
【００５５】
照射工程は、液体状態である冷媒にテラヘルツ光を照射してもよい。
照射工程は、冷凍サイクルを循環する際の液体状態である冷媒にテラヘルツ光を照射してもよい。
【００５６】
照射工程は、冷凍サイクルを循環する際の気液混合状態である冷媒にテラヘルツ光を照射してもよい。
【００５７】
冷媒１０は、冷凍サイクルを循環して熱を運搬するものである。
冷媒１０は、フロンであってもよい。
冷媒１０は、２，３，３，３−テトラフルオロ−１−プロペン、クロロフルオロカーボン、フルオロカーボン、ハイドロクロロフルオロカーボン、またはハイドロフルオロカーボンを含んでもよい。
冷媒は、水であってもよい。
冷媒は、自然冷媒であってもよい。
例えば、冷媒は二酸化炭素である。
例えば、冷媒はアンモニアである。
例えば、冷媒はイソブタンである。
【００５８】
以下に、発明者が本発明を考案するにいたった経緯を、説明する。
【００５９】
本発明は、冷媒であるＣＦＣ（クロロフルオロカーボン）、ＨＣＦＣ（ハイドロクロロフルオロカーボン）、ＨＦＣ（ハイドロクルオロカーボン）にテラヘルツ波を照射させ冷媒の分解を抑制し、塩化フッ化炭素、塩化フッ化炭化水素、フッ化炭化水素の活性化と冷媒組成物の再分解および分解分子の再結合抑制を特徴とする冷凍空調システムの省エネ・節電方法を提供しようとする。
【００６０】
冷媒循環の冷凍空調サイクルは、圧縮機、屋外熱交換器および水冷熱交換器（凝縮器）、膨張弁（キャピラリチゥーブ）、室内熱交換器（蒸発器）の順に配管で接続されており、これらの内部を冷媒組成物が循環する。そのため、冷凍空調サイクルは、冷媒が循環する閉じた系として構成されている。
【００６１】
ＣＦＣ冷媒（クロロフルオロカーボン）〔以下ＣＦＣ冷媒という〕、２，３，３，３−テトラフルオロ−１−プロペンは、天然には存在しない人工化合物であるメタン分子乃至エタン分子のＨ（水素）を塩素（Ｃｌ）やフッ素（Ｆ）に置換した合成物で、不燃、無毒、液化が容易で、しかも化学反応や物質に対して不活性な相手を選択する物質であり、不活性気体は単一種類の元素のみからなるとは限らず、合成物の気体の場合も多く、原子核ないし最外殻電子が閉殻となっているため不活性となっているが、ＧＷＰ（地球温暖化係数）に問題があった。
【００６２】
ＣＦＣ冷媒は、Ｃｌ（塩素）によって置換されているため外気に放出し成層圏に到達し、紫外光により分解された塩素原子が触媒となってオゾン層を破壊し、皮膚がんの発症が高まることが指摘され、オゾン層破壊を防止するため、８５年のウィーン条約、８７年の地球規模での取り組みを定めたオゾン層を破壊する物質に関するモントリオール議定書の制定により特定フロンの国際規制が始まった。９５年には先進国でフロンの生産が中止されたがＧＷＰ（地球温暖化係数）に問題がのこる。代替冷媒としてＨＦＣ（ハイドロフルオロカーボン）〔以下ＨＣＦ冷媒という〕が製造されている。
【００６３】
更に、ＨＣＦＣ（ハイドロクロロフルオロカーボン）〔以下ＨＣＦＣ冷媒という〕は、水素を含むためオゾン層への影響は少ないが、オゾン層の保護のためウィーン条約のオゾン層破壊物質に関するモントリオール議定書に追加が行われ、２０２０年以降は生産・輸入が一切禁止され、２０２０年１月１日に存在する冷凍空調調和機器への充填用に限るとされている塩素を含むフッ化炭化水素である。代替冷媒としてＨＦＣ冷媒であるフッ化炭化水素が製造されている。
【００６４】
また、ＧＷＰ（地球温暖化係数）が現行より低いＲ−３２のような特定の飽和フッ化炭化水素冷媒は理論ＣＯＰや熱連動率が高く、冷媒圧力損失が低いため、エネルギーの効率からみて注目されつつある。
しかし、Ｒ−３２冷媒は、従来のＲ−４１０Ａに比較して圧縮機の吐出温度が１５〜２０℃程度高い特性があることから、冷媒が分解しフッ素化合物（フッ化水素）が発生する可能性がある。
現在は、オゾン破壊係数がゼロまたはＧＷＰ（地球温暖化係数）が小さく、エネルギー効率の高い新冷媒として、ＨＦＣ冷媒であるＲ−３２、Ｒ−１２５、Ｒ−１３４ａ等からなる３成分系非沸混合冷媒Ｒ−４０７およびＲ−３２、Ｒ−１２５からなる２成分系似共沸物混合冷媒Ｒ−４１０Ａが主に製造されている。
これらの冷媒は、冷凍能力、エネルギー効率に優れ、地球環境への影響が小さい代替冷媒である。
【００６５】
しかし、ＣＦＣ冷媒、ＨＣＦＣ冷媒、ＨＦＣ冷媒であっても、圧縮、凝縮、膨張と高温高圧気体・液体、低温低圧気体を短時間で繰り返し循環され、しかも長期間繰り返し行われるため、冷媒が分解しフッ素化合物（フッ化水素）が発生し冷媒組成物構造が乱れ冷凍空調能力低下を及ぼす大きな問題がある。
【００６６】
また、ＣＦＣ冷媒は、陰イオンであるＣｌ（塩素）と陰イオンであるＦ（フッ素）を陽イオンにも陰イオンにもならないＣ（炭素）とイオン結合されているため、高温低温と長時間繰り返し仕事をすることにより、Ｃ（炭素）が切り離され、塩素を含むフッ素化合物（塩化フッ素）が発生し、冷凍空調能力低下の現象がある。
【００６７】
ＨＣＦＣ冷媒は、陽イオンのＨ（水素）と陰イオンのＦ（フッ素）、Ｃｌ（塩素）および陽イオンにも陰イオンにもなりうるが、どちらにもなりにくいＣ（炭素）の結合により成り立っている。
しかし、水素を含むのでオゾン層破壊の影響が少ないが、冷媒として高低温システムを長時間繰り返し循環することにより、Ｃ（炭素）が切り離されフッ素化合物（フッ化水素）が発生し、冷凍空調能力低下の大きな問題がある。
【００６８】
現在は、ＣＦＣ冷媒、ＨＣＦＣ冷媒の代替としてＨＦＣ冷媒が使用されている。ＨＦＣ冷媒は塩素を含まないのでオゾン層破壊解消物質であるが、陽イオンであるＨ（水素）、陰イオンであるＦ（フッ素）、陽イオンにも陰イオンにもなりうるが、どちらにもなりにくいＣ（炭素）から構成された冷媒である。ＨＣＦＣ冷媒同様、高低温サイクルで長時間繰り返し循環することにより、Ｃ（炭素）が切り離されフッ素化合物（フッ化水素）が発生し、冷凍空調能力低下現象が発生している。
【００６９】
一般には、冷凍空調効率が低下した場合、冷媒の入れ替えをすることで、冷媒効率を確保するという無駄な現状と欠点がある。
【００７０】
これに対して特許文献１（特開平１１−３３５１１７号公報）の方法では、特定のＡ型ゼオライトおよび高純度カオリン系粘土を乾燥剤として冷凍サイクルに導入することが提案されている。そして、乾燥剤を用いることでサイクル内のフッ素イオン濃度を下げると記載されている。しかし、乾燥剤中に含まれるフッ素（Ｆ）イオン濃度が２．０×１０３ｐｐｍ以下とされているが、フッ化水素を削減するには十分な数値ではない。
また、特許文献２（特開２０１１−２２６７２８号公報）では、酸素除去剤を含む冷凍機油に不飽和フッ化炭化水素を含む冷媒を用いる冷凍装置に適用することが提案されている。そして、酸素による不飽和フッ化炭化水素の分解が抑制されると記載されている。
特許文献３（ＰＣＴ／ＪＰ２０１３／０５８１６５号公報）では、ペンタフルオロエタン（Ｃ２ＨＦ５）を冷媒に配合することで、冷媒の分解によるフッ素化合物の量を抑制できることが提案されている。
【００７１】
本発明は上記背景、問題点に鑑みてなされたもので、冷媒の塩化フッ化炭素、塩化フッ化炭化水素、フッ化炭化水素の分解によるフッ化水素の抑制とＣＦＣ冷媒、ＨＣＦＣ冷媒、ＨＦＣ冷媒にテラヘルツ光を照射させ冷媒の塩化フッ化炭素、塩化フッ化炭化水素、フッ化炭化水素の活性化と冷媒組成物の再分解および分解分子の再結合抑制を特徴とする冷凍空調システムの省エネ・節電方法を提供しようとする。
【００７２】
発明者は、課題を解決すべく鋭意に実験検討を行った結果、ＣＦＣ冷媒、ＨＣＦＣ冷媒、ＨＦＣ冷媒のフッ化炭化水素乃至塩素を含むフッ化炭化水素およびハロゲンとしてフッ素と塩素を含む炭素化合物にテラヘルツ光である電磁波エネルギーを照射させることにより、冷媒の分解によるフッ素化合物（フッ化水素）の結合を抑制し、冷媒組成物を基の構造に戻し活性化すると共に、分解分子の再結合防止を図ることで冷凍空調システムの省エネ・節電ができることを最も主要な特徴とすることを見出した。
【００７３】
本発明は、上記の知見を基に完成したものである。即ち、本発明は、以下に示す冷媒の塩化フッ化炭素、塩化フッ化炭化水素、フッ化炭化水素の活性化と冷媒組成物の再分解および分解分子の再結合抑制を特徴とする冷凍空調システムの省エネ・節電方法を提供するものである。
【００７４】
本発明にあっては次に列挙する効果を期待できる。
（１）冷凍空調に使用されているＣＦＣ冷媒、ＨＣＦＣ冷媒、ＨＦＣ冷媒、自然冷媒にテラヘルツ光を照射することにより、冷媒分子分解を抑制させフッ素化合物（フッ化水素）発生の抑制および冷媒組成物の活性化を図る冷凍空調システムの省エネ・節電ができる。
（２）冷媒の組成物の活性化と冷媒分子分解抑制ができ、省エネ・節電に大きく貢献できる。
（３）冷媒構成物質である塩化フッ化炭素、塩化フッ化炭化水素、フッ化炭化水素にテラヘルツ光を照射することで分解されたフッ化水素を基の構成に戻し、冷媒構成物質である塩化フッ化炭素、塩化フッ化炭化水素、フッ化炭化水素の活性化と冷媒分子分解抑制を図り、冷凍空調システムの省エネ・節電ができる。
【００７５】
テラヘルツ光を冷媒化合物に照射することで、冷媒の分解を抑制すると共に長時間使用した冷媒能力低下の冷凍空調システム冷媒の冷媒組成物の活性化を図り、冷媒能力低下防止と共に冷媒であるＣＦＣ冷媒、ＨＣＦＣ冷媒、ＨＦＣ冷媒組成物の分解抑制および冷凍空調システムの省エネ・節電対策に大きく貢献することができる。
【００７６】
そこで、上記記載のＨＦＣ冷媒は、Ｃｌ（塩素）を含まずＨ（水素）及びフッ素（Ｆ）、炭素（Ｃ）の合成物。ＨＣＦＣ冷媒は、水素（Ｈ）及びフッ素（Ｆ）、塩素（Ｃｌ）、炭素（Ｃ）の化合物。ＣＦＣ冷媒は、フッ素（Ｆ）、炭素（Ｃ）、塩素（Ｃｌ）の化合物にテラヘルツ光を照射し、冷媒各分子、特に炭素（Ｃ）に電磁波エネルギーを与えることにより分解を抑えることができ省エネ・節電効果が得られる。
【００７７】
テラヘルツ光とは、電磁波の一種で周波数が１００ギガ（ｇｉｇａ＝１０億）〜１００テラ（ｔｅｒａ＝１兆）の振動数を有する電磁波で電波と光波の中間帯電磁波である。テラヘルツ光には分子や分子間総合作用や超伝達エネルギーが存在することから、テラヘルツ光の電磁波を冷媒に授受させて、塩化フッ化炭素、塩化フッ化炭化水素、フッ化炭化水素の活性化と冷媒組成物の再分解および分解分子の再結合を抑制させて、冷媒組成物を正常冷媒分子に戻し省エネ・節電効果を実現したと考えられる。    
【００７８】
テラヘルツ光の電磁波エネルギーは、あらゆる分子の振動や回転、ほとんどの固体の格子振動や半導体の不純物準位の共鳴エネルギーといった基本物性に対応できる。すでに医薬品の体分子有機化合物に対しては、分子構造や結晶構造に応じてテラヘルツ吸収スペクトルが顕著に現れている。
しかし、冷媒組成物の冷媒の塩化フッ化炭素、塩化フッ化炭化水素、フッ化炭化水素の活性化と冷媒組成物の再分解および分解分子の再結合抑制に利用するのは発明者が始めてである。
【００７９】
ＨＦＣ冷媒は、塩素（Ｃｌ）を含まず水素（Ｈ）及びフッ素（Ｆ）、炭素（Ｃ）の化合物である。ＨＣＦＣ冷媒は、水素（Ｈ）及びフッ素（Ｆ）、塩素（Ｃｌ）、炭素（Ｃ）の化合物である。ＣＦＣ冷媒は、フッ素（Ｆ）、炭素（Ｃ）、塩素（Ｃｌ）の化合物で、ＨＦＣ冷媒が、炭素数１〜３までの飽和ＨＦＣおよび炭素数３の不飽和ＨＦＣであることを特徴とする冷媒組成物である。
【００８０】
本発明の冷媒組成物は、特定フロンであるＣＦＣとしてＣＦＣ−１１（ＣＣｌ３Ｆ）、ＣＦＣ−１２（ＣＣｌ２Ｆ２）、ＣＦＣ−１１３（ＣＣｌＦ２−ＣＣｌＦ２）、ＣＦＣ−１１４（ＣＣｌＦ２−ＣＣｌＦ２）、ＣＦＣ−１１５（ＣＣｌＦ２−ＣＦ３）、指定フロンであるＨＣＦＣとしてＨＣＦＣ−２２（ＣＨＣｌＦ２）、Ｒ−１２３（ＣＨＣｌＣＦ３）、ＨＣＦＣ−１４１ｂ（ＣＨ３−ＣＦＣｌ２）、ＨＣＦＣ−１４２ｂ（ＣＨ３ＣＣｌＦ２）、ＨＣＦＣ−２２５ｃａ（ＣＨＣｌ２Ｆ２−ＣＦ３）、ＨＣＦＣ−２２５ｃｂ（ＣＨＣｌＣＦ２ＣＣｌＦ３）、代替えフロンであるＨＦＣとしてＣＦＣ−２３（ＣＨＦ３）、ＣＦＣ−３２（ＣＨ２Ｆ２）、ＨＦＣ−１２５（ＣＨＦ２ＣＦ３）、ＣＦＣ−１３４ａ（ＣＨ２ＦＣＦ３）、ＨＦＣ−１４３ａ（ＣＨ３ＣＦ３）、ＨＦＣ−１５２ａ（ＣＨＣＨＦ２）、ＨＦＣ系混合冷媒としてＲ−４０４Ａ〔ＨＦＣ−１２５（４４）／ＨＦＣ１４３ａ（５２）／ＨＦＣ１３４ａ（４）〕、Ｒ４１０Ａ〔ＨＦＣ−３２（５０）／ＨＦＣ−１２５（５０）〕、Ｒ４０７Ｃ〔ＨＦＣ−３２（２３）／ＨＦＣ−１２５（２５）／ＨＦＣ−１３４ａ（５２）〕、２，３，３，３−テトラフルオロ−１−プロペンの飽和数１〜３までの飽和炭素および炭素数３の不飽和炭素にテラヘルツ光を照射し分子に振動エネルギーを与えることで、冷媒の塩化フッ化炭素、塩化フッ化炭化水素、フッ化炭化水素の活性化と冷媒組成物の再分解および分解分子の再結合抑制ができる。
【００８１】
また、冷媒が自然冷媒である場合に、テラヘルツ光を冷凍サイクルを循環する冷媒に照射すると、テラヘルツ光が冷媒を構成する分子の運動に影響を及ぼし、冷凍サイクルの効率が向上することを予想できる。その結果、冷凍、冷房、または暖房装置の省エネを達成できる。
【００８２】
以下に、本発明にかかる冷凍、冷房、または暖房装置の実施例を、説明する。
図９は、実施例に用いた試験設備を示す。
仕様は以下の通り。
空調機；日立アプライアンス株式会社製ＲＰＶ−ＡＰ２８０ＧＨＰ２（三相２００Ｖ、中間消費電力冷房時２．８８ｋｗ、暖房時３．０６ｋｗ）
冷媒；Ｒ−４１０Ａ
【００８３】
試験設備の設定条件は以下のとおり。
室外機設置室温度：２８．５℃
室内乾球温度：２６℃
冷房用空調機消費電力：Ｋｗ／Ｈ
室外機（圧縮機吐出温度）：℃
室内器出口温度：℃
【００８４】
データ測定手順は以下のとおり。
空調機を冷房運転または暖房運転して、室外機設定室内温度および室内設定温度、消費電力等を３０分毎に測定、この状態で６時間測定を実施した。
【００８５】
実施例で使用した照射機構は、図２の（Ａ）で説明した構造を持つ。
テラヘルツ光を放射する物質と物質を保持する保持部材の放射するテラヘルツ光の波長の測定結果を、図７に示す。
図７中のＤＡＳＴ結晶が、実施例で使用したもののデータである。
図７中の低温成長ＧａＡｓ薄膜は、比較のためのデータである。
図８は、テラヘルツ光を放射する物質を組成する元素を表す。
【実施例１】
【００８６】
比較のために照射機構がない状態で空調機を冷房運転して、比較例１のデータ測定をした。その後で、照射機構を設けた状態で空調機を冷房運転し、実施例１のデータ測定をした。
図５の表１は、比較例１のデータ測定結果を示す。
図５の表２は、実施例１のデータ測定結果を示す。
ここで、室外機設定温度は、屋外機交換器の置かれる雰囲気の温度である。
室内設定温度は、室内熱交換器の置かれる雰囲気の温度である。
消費電力は、冷凍サイクルを駆動する電力である。
圧縮機冷媒吐出温度は、コンプレッサーの吐出する冷媒の温度である。
室内機吐出温度は、室内熱交換器の吐出する冷媒の温度である。
その結果、実施例１での消費電力は、比較例１での消費電力より約３１．３％だけ少なかった。
【実施例２】
【００８７】
比較のために照射機構がない状態で空調機を暖房運転して、比較例１のデータ測定をした。その後で、照射機構を設けた状態で空調機を暖房運転し、実施例１のデータ測定をした。
図６の表３は、比較例２のデータ測定結果を示す。
図６の表４は、実施例２のデータ測定結果を示す。
ここで、室外機設定温度は、屋外機交換器の置かれる雰囲気の温度である。
室内設定温度は、室内熱交換器の置かれる雰囲気の温度である。
消費電力は、冷凍サイクルを駆動する電力である。
圧縮機冷媒吐出温度は、コンプレッサーの吐出する冷媒の温度である。
室内機吐出温度は、室内熱交換器の吐出する冷媒の温度である。
その結果、実施例２での消費電力は、比較例２での消費電力より約３２．５％だけ少なかった。
【００８８】
以下に、上記の結果にたいする発明者の考察を述べる。
【００８９】
冷房時における実施例１の比較例１（表１）に対して実施例１（表２）、暖房時における実施例２の比較例（表３）に対して実施例２（表４）の消費電力削減において、冷房運転時３１．３％、暖房運転時３２．５％消費電力が削減されたのは、冷媒にテラヘルツ光を照射することにより各分子に振動エネルギーを与え、冷媒の分解抑制と共にフッ素化合物（フッ化水素）抑制されたものと考えられる。
【００９０】
冷媒組成物にテラヘルツ光を照射させ炭素（Ｃ）に十分エネルギーを与え、フッ素、水素と分離することなく結合されるので、冷媒の分解によるフッ素化合物（フッ化水素）の量を十分抑制することができたと考えられる。それ故、冷媒組成物を使用する冷凍システム、冷暖房空調システム、ガスヒートポンプシステムなどに長期間安定して運転が可能となると共に、省エネ・節電が可能となる。
【００９１】
冷媒分子は、不活性気体であっても高温低温を短時間（３〜６ｍ／ｓ）で繰り返すことにより、化合物組成を変化および単分子化させることがある物質である。特に気液二相流物質であり圧縮機で高温高圧縮気体、凝縮器（屋外熱交換器）で常温気体（液体）、膨張弁（キャピラリーチュウブ）で低温気体、蒸発器（室内熱交換器）で気体液体を繰返し仕事する中に於いて、長時間使用することで冷媒化合物が引き離され単分子で行動しフッ素（Ｆ）と水素（Ｈ）が結合しフッ素化合物（フッ化水素）が現れ冷媒の役目を失すると共に冷凍・空調の冷暖房効果を低下させているのが現状である。また、冷媒を正常化合物質に維持させることが最も重要である。
【００９２】
本発明は、東京電力福島第一原子力発電所の事故から端を発し、国内の原子力発電所が停止され、火力、水力、太陽光、風力発電等フル稼働されているが、各電力会社の要請より工業、業務用、家庭電力まで何回も値上げが余儀なくされている。中でも冷凍冷蔵庫、業務用エアコンの電力料金の値上げは、直接、我々の生活に掛ってきている。
上記発明の冷凍空調冷媒であるＣＦＣ冷媒、ＨＣＦＣ冷媒、ＨＦＣ冷媒の活性化と冷媒組成物の分解抑制および省エネ・節電方法は各産業から家庭まで利用され大きく世の中に貢献できる。
【００９３】
以上説明したように、本発明の実施形態に係る冷凍、冷房、または暖房装置は、その構成により、以下の効果を有する。
冷凍サイクルを冷媒１０が循環し、冷凍サイクルを循環する冷媒１０にテラヘルツ光を照射する様にしたので、冷媒１０がテラヘルツ光を照射されて安定し、冷凍サイクルを長期的に安定して運転できる。
また、照射機構３０は液体状態である冷媒１０にテラヘルツ光を照射する様にしたので、液体状態である冷媒１０がテラヘルツ光を照射され安定し、冷凍サイクルを長期的に安定して運転できる。
また、照射機構３０は気液混合状態である冷媒１０にテラヘルツ光を照射する様にしたので、気液混合状態である冷媒１０がテラヘルツ光を照射され安定し、冷凍サイクルを長期的に安定して運転できる。
また、照射機構はテラヘルツ光を放射する物質３１と物質３１を保持する保持部材３２を有する様にしたので、冷媒１０が物質が放射するテラヘルツ光を照射され安定し、冷凍サイクルを長期的に安定して運転できる。
また、物質３１を保持する保持部材３２が冷凍サイクルの中を循環する冷媒１０を導く配管を囲う様にしたので、`配管により導かれる冷媒が配管２１を囲う物質３１が放射するテラヘルツ光を照射され安定し、冷凍サイクルを長期的に安定して運転できる。
また、テラヘルツ光を反射するシート状の反射部材３３が物質３１を保持する保持部材３２を周囲から覆う様にしたので、物質３１から放射したテラヘルツ光が反射部材３３により反射し配管により導かれる冷媒１０が反射したテラヘルツ光を照射され安定し、冷凍サイクルを長期的に安定して運転できる。
また、冷媒１０は２，３，３，３−テトラフルオロ−１−プロペン、クロロフルオロカーボン、フルオロカーボン、ハイドロクロロフルオロカーボン、またはハイドロフルオロカーボンを含む様にしたので、冷媒がテラヘルツ光を照射され、フッ素化合物の発生を抑制し、冷凍サイクルを長期的に安定して運転できる。
また、テラヘルツ光を放射する物質３１が冷凍サイクルを循環する冷媒を導く配管２１の内部に位置する様にしたので、配管の中を通過する冷媒がテラヘルツ光を照射され、冷媒が安定し、冷凍サイクルを長期的に安定して運転できる。
また、配管２１と屋外熱交換器２２と膨張弁２３と室内熱交換器２４とコンプレッサー２５を組み合わせた冷凍サイクルを循環する様に冷媒を導く配管３１のうちの屋外熱交換器２２と膨張弁２３とを導通して冷媒を導く配管２１を通過する際の冷媒１０にテラヘルツ光を照射する様にしたので、屋外熱交換器２２と膨張弁２３とを導通する配管２１のなかの冷媒１０が、テラヘルツ光を照射され、冷媒１０が安定し、冷凍サイクルを長期的に安定して運転できる。
【００９４】
以上説明したように、本発明の実施形態に係る冷凍、冷房、または暖房装置の省エネ方法は、その構成により、以下の効果を有する。
冷凍サイクルを冷媒１０が循環し、冷凍サイクルを循環する冷媒１０にテラヘルツ光を照射する様にしたので、冷媒１０がテラヘルツ光を照射されて安定し、冷凍サイクルを長期的に安定して運転できる。
また、液体状態である冷媒１０にテラヘルツ光を照射する様にしたので、液体状態である冷媒がテラヘルツ光を照射され安定し、冷凍サイクルを長期的に安定して運転できる。
また、気液混合状態である冷媒１０にテラヘルツ光を照射する様にしたので、気液混合状態である冷媒１０がテラヘルツ光を照射され安定し、冷凍サイクルを長期的に安定して運転できる。
また、冷媒は２，３，３，３−テトラフルオロ−１−プロペン、クロロフルオロカーボン、フルオロカーボン、ハイドロクロロフルオロカーボン、またはハイドロフルオロカーボンを含む様にしたので、冷媒がテラヘルツ光を照射され、フッ素化合物の発生を抑制し、冷凍サイクルを長期的に安定して運転できる。
【００９５】
本発明は以上に述べた実施形態に限られるものではなく、発明の要旨を逸脱しない範囲で各種の変更が可能である。
【符号の説明】
【００９６】
１０  冷媒
２０  冷凍サイクル機構
２１  配管
２２  屋外熱交換器
２３  膨張弁
２４  室内熱交換器
２５  コンプレッサー
２６  四方弁
３０  照射機構
３１  物質
３２  保持部材
３３  反射部材
【図１】
0006408287.tif 000002
【図２】
0006408287.tif 000003
【図３】
0006408287.tif 000004
【図４】
0006408287.tif 000005
【図５】
0006408287.tif 000006
【図６】
0006408287.tif 000007
【図７】
0006408287.tif 000008
【図８】
0006408287.tif 000009
【図９】
0006408287.tif 000010